(57)【要約】      （修正有）【課題】種々の大きさの取付穴にずれないように取付けることができる面状照明器具を提供する。【解決手段】取付穴１２の大きさｄが、面状発光部２１の傾斜面２５ａの外側端の大きさＤ２よりも小さく、かつ大きさＤ１よりも大きい場合、面状発光部２１の裏面２１ａの据付部３０により面状照明器具１０を取付穴１２に取付ける際に、傾斜面２５ａが取付穴１２に当接するので、面状照明器具１０のずれを防止する。また、大きさｄが大きさＤ１よりも小さい場合、放熱が悪く面状照明器具１０の温度が高くなるが、取付穴１２の周縁部が面状発光部２１の裏面２１ａに当接して、浮いて取付けるので、天井１１等の取付部材を熱による変色を防止する。一方、大きさｄが大きさＤ２よりも大きい場合、放熱性が高く天井１１等の取付部材の熱による変色を防止するとともに、傾斜面２５ａの外側にある平坦部２５ｂが天井１１等の取付部材に接触するので、外観を向上させる。【選択図】図１
2009266543.tif 000002
【特許請求の範囲】
【請求項１】
光源を有する面状発光部及び前記面状発光部の裏面に設けられた給電部を有する器具本体と、
前記面状発光部の裏面に設けられ前記給電部を取付穴に挿嵌して前記器具本体を前記取付穴に据付ける据付部と、を有する面状照明器具であって、
前記面状発光部の裏面の外縁部付近に、外縁部から中心部に向かって高くなる傾斜面が設けられていることを特徴とする面状照明器具。
【請求項２】
前記面状発光部の裏面における前記傾斜面より中心側にずれ止めを複数個設けたことを特徴とする請求項１記載の面状照明器具。
【発明の詳細な説明】
【技術分野】
【０００１】
本発明は、天井等に設けられた取付穴に挿嵌して取付ける面状照明器具に関するものである。
【背景技術】
【０００２】
従来より、天井等に取付けられた照明器具等を取り外した後の種々の大きさの取付穴を塞ぐことにより外観を改善するための目隠し用プレートが提案されている（例えば特許文献１参照）。
【０００３】
図４に示すように、特許文献１に記載の取付穴目隠し用プレート１００は、天井板に設けられた取付穴より大きい寸法のプレート本体１０１を有しており、取付穴の周端の下面側に当接して取付穴を塞ぐように用いられる。このため、プレート本体１０１の裏面に、取付穴に挿入可能な突出部１０２を設けるとともに、この突出部１０２にプレート本体１０１との間で天井板の取付穴の周端部を挟持する取付バネ１０３を設けた。
【特許文献１】特開平８−１８０７２５号公報（第１図）
【発明の開示】
【発明が解決しようとする課題】
【０００４】
ところで、天井等に設けられている照明器具を取り外して、新たな照明器具を取付ける場合、取付穴の内径は、先に取付けられていた照明器具に対応して種々あり、新たに取付けられる照明器具が取付穴に比して小さい場合には、照明器具と取付穴との間の隙間を覆う目隠し用プレートを用いる必要がある。例えば、照明器具の外側に、特許文献１に記載の目隠し用プレート１００を円環状にして取付けることが考えられる。
しかしながら、目隠し用プレート１００では、取付バネ１０３によってプレート本体１０１との間に天井板を挟んで、プレート本体１０１と天井板との間の摩擦力によって保持されているだけなので、取付穴に対して照明器具がずれるおそれがあるという問題があった。
【０００５】
本発明は、従来の問題を解決するためになされたもので、種々の大きさの取付穴にずれないように取付けることができる面状照明器具を提供することを目的とする。
【課題を解決するための手段】
【０００６】
本発明の面状照明器具は、光源を有する面状発光部及び前記面状発光部の裏面に設けられた給電部を有する器具本体と、前記面状発光部の裏面に設けられ前記給電部を取付穴に挿嵌して前記器具本体を前記取付穴に据付ける据付部と、を有する面状照明器具であって、前記面状発光部の裏面の外縁部付近に、外縁部から中心部に向かって高くなる傾斜面が設けられている構成を有している。
【０００７】
この構成により、取付穴の大きさが、面状発光部に設けられている傾斜面の外側端の大きさよりも小さく、かつ傾斜面の内側端の大きさよりも大きい場合には、面状発光部の裏面に設けられている据付部により面状照明器具を取付穴に取付ける際に、傾斜面が取付穴に当接するので、面状照明器具の位置決めを行うことができ、ずれるのを防止することができる。また、取付穴の大きさが傾斜面の内側端の大きさよりも小さい場合には、放熱条件が悪く、面状照明器具の温度が高くなるが、取付穴の周縁部が面状発光部の裏面に当接して、浮いた状態で取付けられるので、天井等の取付部材を熱によって変色させるのを防止することができる。一方、取付穴の大きさが傾斜面の外側端の大きさよりも大きい場合には、放熱性が高く天井等の取付部材を熱によって変色させるのを防止することができるとともに、面状発光部の裏面において傾斜面の外側にある平坦部が天井等の取付部材に接触するので、外観を向上させることができる。これにより、種々の大きさの取付穴に面状照明器具を適正に取付けることができる。
【０００８】
また、本発明の面状照明器具は、前記面状発光部の裏面における前記傾斜面より中心側にずれ止めを複数個設けた構成を有している。
【０００９】
この構成により、取付穴の大きさが傾斜面の内側端の大きさよりも小さい場合には、面状発光部の裏面に設けられているずれ止めが取付穴の内周面に当接するにより、面状照明器具がずれるのを防止することができる。
【発明の効果】
【００１０】
本発明は、取付穴の大きさが、面状発光部に設けられている傾斜面の外側端の大きさよりも小さく、かつ傾斜面の内側端の大きさよりも大きい場合には、面状発光部の裏面に設けられている据付部により面状照明器具を取付穴に取付ける際に、傾斜面が取付穴に当接するので、面状照明器具の位置決めを行うことができ、ずれるのを防止することができる。また、取付穴の大きさが傾斜面の内側端の大きさよりも小さい場合には、放熱条件が悪く、面状照明器具の温度が高くなるが、取付穴の周縁部が面状発光部の裏面に当接して、浮いた状態で取付けられるので、天井等の取付部材を熱によって変色させるのを防止することができる。一方、取付穴の大きさが傾斜面の外側端の大きさよりも大きい場合には、放熱性が高く天井等の取付部材を熱によって変色させるのを防止することができるとともに、面状発光部の裏面において傾斜面の外側にある平坦部が天井等の取付部材に接触するので、外観を向上させることができる。これにより、種々の大きさの取付穴に面状照明器具を適正に取付けることができるという効果を有する面状照明器具を提供することができるものである。
【発明を実施するための最良の形態】
【００１１】
以下、本発明の第１実施形態にかかる面状照明器具について、図面を用いて説明する。
図１（Ａ）は本発明の実施形態にかかる面状照明器具を裏側から見た平面図、図１（Ｂ）は断面図および端面図、図２は小さな取付穴に取付けた状態を示す断面図および端面図、図３は大きな取付穴に取付けた状態を示す断面図および端面図である。
【００１２】
図１（Ａ）および（Ｂ）に示すように、この面状照明器具１０は天井１１等の取付部材に設けられた取付穴１２に挿嵌して取付けられるものであり、面状発光部２１と、この面状発光部２１の裏面２１ａに設けられた給電部２２とを有する器具本体２０と、器具本体２０を取付穴１２に据付ける据付部３０を有している。
【００１３】
面状発光部２１は、光源であるＬＥＤ２４を下方に向けて装着するとともに面状発光部２１の裏面２１ａである上面に給電部２２が取付けられた円形の面状発光部本体２３と、この面状発光部本体２３の前面および外側を覆うカバー部材２５を有している。
【００１４】
カバー部材２５は、面状発光部本体２３に装着されているＬＥＤ２４の前方（下方）に対応してレンズ２４ａ等のカバーが取付けられており、ネジ２６によって面状発光部本体２３の下面に一体的に取付けられている。このカバー部材２５は、器具本体２０を取付穴１２に取付けた際に、器具本体２０と取付穴１２との間の隙間を隠すことができるものであり、取付穴１２に比して大きめに形成されている。なお、ネジ２６の下面は、化粧ネジ２６ａによって隠されて、外観を向上させている。
【００１５】
また、面状発光部２１の裏面２１ａとなるカバー部材２５の裏面側には、面状発光部本体２３の外縁部近傍から外側へ向かって下方へ傾斜する傾斜面２５ａが設けられており、傾斜面２５ａの外側は平坦面２５ｂが一定の幅で円環状に形成されている。傾斜面２５ａの上端（すなわち内側端）は直径Ｄ１の円であり、傾斜面２５ａの下端（すなわち外側端であり、平坦面２５ｂとの境界）は直径Ｄ２の円となっている。
【００１６】
面状発光部２１の裏面２１ａでは、面状発行体本体２３の上面に幅細の板材２７が取付けられており、板材２７の両端部は上方へ折り曲げられて複数個（ここでは一対）のずれ止め２７ａが形成されている。このずれ止め２７ａの間隔（直径）は取付穴１２の内径ｄよりも小さいものであり、取付穴１２の内周面に当接して面状照明器具１０がずれるのを防止するためのものである。取付穴１２が円形の場合には、直径方向に対向して少なくとも一対のずれ止め２７ａを設ける。あるいは、同心円上に３個以上のずれ止め２７ａを設けるようにしてもよい。
【００１７】
面状発光部２１の裏面２１ａ（光照射側と反対側面）に設けられている据付部３０は、取付穴１２に器具本体２０を据付ける据付用部材である複数個（ここでは４個）のアーム３１を有しており、アーム３１の先端３１ａは、下方へ折り曲げられている。面状発光部２１の裏面２１ａに取付けられている板材２７を折り曲げて形成されているフレーム３２ａと、このフレーム３２ａから所定間隔離れて面状発光部２１の裏面２１ａに取付けられているフレーム３２ｂとの間には回転軸３３が設けられており、各アーム３１は、回転軸３３によって回動可能に支持されている。また、回転軸３３回りにはスプリング３４が設けられており、各アーム３１は、このスプリング３４の弾性力によって、先端３１ａを天井１１の裏面１１ａに押しつける方向へ回転付勢されている。
【００１８】
従って、アーム３１の先端３１ａを天井１１に押し付けるスプリング３４の弾性力の反作用により、器具本体２０は上方へ持ち上げられて、下方から取付穴１２に押し付けられることになる。
【００１９】
このため、図１（Ａ）および（Ｂ）に示すように、取付穴１２の大きさ（ここでは内径）ｄと、傾斜面２５ａの内側端の大きさ（ここでは半径）Ｄ１および外側端の大きさ（ここでは半径）Ｄ２との関係が、Ｄ１≦ｄ≦Ｄ２の場合、すなわち、取付穴１２の大きさｄ（例えば、φ１２５ｍｍ）が、傾斜面の内側端の大きさＤ１より大きく外側端の大きさＤ２よりも小さい場合には、据付部３０によって持ち上げられた器具本体２０は、傾斜面２５ａが取付穴１２の内周面下端部に押し付けられて位置決めされることになる。
【００２０】
一方、図２に示すように、取付穴１２の大きさｄ（例えば、φ１００ｍｍ）が、傾斜面２５ａの内側端の大きさＤ１よりも小さい場合、すなわち、ｄ＜Ｄ１＜Ｄ２の場合には、面状発光部２１の裏面２１ａが、取付穴１２の外縁部である天井１１の下面１１ｂに当接する。なお、面状発光部２１の裏面２１ａには、複数のずれ止め２７ｂが設けられており、取付穴１２の内周面がずれ止め２７ｂに当接するので、面状照明器具１０のずれを最小限に抑えることができる。
【００２１】
また、図３に示すように、取付穴１２の大きさｄ（例えば、φ１５０ｍｍ）が、傾斜面２５ａの外側端の大きさＤ２よりも大きい場合、すなわち、Ｄ１＜Ｄ２＜ｄの場合には、カバー部材２５の平坦面２５ｂが、取付穴１２の外縁部である天井１１の下面１１ｂに当接する。なお、取付穴１２の大きさがカバー部材２５の外径よりも大きい場合には、面状照明器具１０を取付けることができないのは言うまでもない。
【００２２】
次に、天井１１の取付穴１２に対する面状照明器具１０の着脱作業について説明する。
面状照明器具１０を取付穴１２に取付ける場合には、まず、作業者は、据付部３０のアーム３１をスプリング３４の付勢力に抗して手で上方へ持ち上げ、アーム３１の先端３１ａを天井１１の裏面（上面）１１ａに引っ掛ける。そして、アーム３１から手を離して照明装置１０がアーム３１の先端３１ａによって吊下げられる状態とし、照明装置１０を取付穴１２に押し込む。これにより、アーム３１がスプリング３４の付勢力により広がり、照明装置１０を支持する。
【００２３】
一方、天井１１に取付けられている照明装置１０を取り外すには、カバー部材２５の外周部に手をかけて、引き下ろす。これにより、照明装置１０を支持しているアーム３１がスプリング３４の付勢力に抗して上方へ回動するので、照明装置１０はアーム３１の先端３１ａが天井１１の裏面１１ａに係止されるまで引き下げられる。そして、作業者は、照明装置１０と天井１１との間に手をいれて、アーム３１を上方へ回動させて、アーム３１の先端３１ａを天井１１の裏面から外して、照明装置１０を取り外す。
【００２４】
以上、説明した照明装置１０によれば、取付穴１２の大きさｄが、面状発光部２１に設けられている傾斜面２５ａの外側端の大きさよりＤ２も小さく、かつ傾斜面２５ａの内側端の大きさＤ１よりも大きい場合には、面状発光部２１の裏面２１ａに設けられている据付部３０により器具本体２０を取付穴１２に取付けると、傾斜面２５ａが取付穴１２に当接するので、面状照明器具１０の位置決めを行うことができ、ずれるのを防止することができる。
【００２５】
また、取付穴１２の大きさｄが傾斜面２５ａの内側端の大きさＤ１よりも小さい場合には、放熱条件が悪く、面状照明器具１０の温度が高くなるが、取付穴１２の周縁部が面状発光部２１の裏面２１ａに当接して、浮いた状態で取付けられるので、天井１１等の取付部材を熱によって変色させるのを防止することができる。このとき、面状発光部２１の裏面２１ａに設けられているずれ止め２７ａにより、面状照明器具１０がずれるのを防止することができる。
【００２６】
一方、取付穴１２の大きさｄが傾斜面２５ａの外側端の大きさＤ２よりも大きい場合には、放熱性が高く天井１１等の取付部材を熱によって変色させるのを防止することができるとともに、面状発光部２１の裏面２１ａにおいて傾斜面２５ａの外側にある平坦部２５ｂが天井１１等の取付部材に接触するので、外観を向上させることができる。
【００２７】
なお、本発明の面状照明器具は、前述した実施形態に限定されるものでなく、適宜な変形，改良等が可能である。
例えば、前述した実施形態においては、円形の取付穴１２に円形の面状照明器具１０を取付ける場合について説明したが、取付穴および面状照明器具の形状は円形に限らず、正多角形の場合にも同様に適用することができる。
【図面の簡単な説明】
【００２８】
【図１】（Ａ）は本発明の実施形態にかかる面状照明器具を裏側から見た平面図、（Ｂ）は断面図および端面図
【図２】小さな取付穴に取付けた状態を示す断面図および端面図
【図３】大きな取付穴に取付けた状態を示す断面図および端面図
【図４】従来の照明器具における目隠し用プレートの斜視図
【符号の説明】
【００２９】
１０  面状照明器具
１２  取付穴
２０  器具本体
２１  面状発光部
２１ａ  裏面
２２  給電部
２４  ＬＥＤ（光源）
２５ａ  傾斜面
２７ａ  ずれ止め
３０  据付部
【図１】
2009266543.tif 000003
【図２】
2009266543.tif 000004
【図３】
2009266543.tif 000005
【図４】
2009266543.tif 000006